(57)【要約】観察者によって見られる画像を生み出すための表示装置（１０）は、光学システム（１４）および制御ユニット（２０）を含む。前記光学システムは光伝播チャネル（１４Ａ）の中への画像を示す入力光を受け取り、出口瞳孔（１４Ｂ）において、観察者（１８）に提示される画像に対応する視界（ＦＯＶ）を有する出力光を生み出す。前記光伝播チャネルは、出口瞳孔の横方向の寸法ｘを横切った光学システムの強度伝達関数マップＩ１（ｘ、φ）およびＦＯＶの角度（２０）のスパンφを有する。前記制御ユニット（２０）は、画像データを修正し、前記画像データは光学システムの強度伝達関数マップＩ１（ｘ、φ）の中の強度非均一性を少なくとも部分的に補償する較正強度マップに基づいた輝度変調をそれに適用することにより光学システム中の入力部となる。【選択図】図１
2021526236.tif 000002
【特許請求の範囲】
【請求項１】
観察者によって見られる画像を生成する表示装置であって、前記表示装置は：
出口瞳孔を有する光伝播チャネルを含む光学システムであって、前記光学システムは、表示されるべき画像を示す入力画像搬送光を受信するように動作可能かつ構成され、出口瞳孔において観察者に提示された前記画像に対応する視野（ＦＯＶ）を有する出力光を生成し、光伝播チャネルの構成は、出口瞳孔の横方向の寸法ｘを横切って光学システムにおいて特徴づける強度伝達関数マップＩ１（ｘ、φ）と前記ＦＯＶの角度のスパンφとを画定する前記光学システムと、
制御ユニットを含み、前記制御ユニットは、光学システムにおいて特徴づける強度伝達関数マップＩ１（ｘ、φ）の中の強度非均一性を少なくとも部分的に補償するように構成された較正強度マップに基づいた輝度変調をそれに適用することにより、画像データに影響を与えるように構成され動作可能であり、結果として、前記入力画像搬送光が、表示されるべき画像を示す強度変調画像データＩＤｍｏｄに対応し、光学システムの出口瞳孔における出力光は、前記画像を示し、改善された強度均一性を具備し観察者に観察される変調された強度マップを有する、
ことを特徴とする表示装置。
【請求項２】
前記制御ユニットは、
強度マップ生成モジュールであって、前記強度マップ生成モジュールはあらかじめ定められた目瞳孔関連データと、光学システムにおいて特徴づける強度伝達関数マップＩ１（ｘ、φ）を分析し、出口瞳孔から目瞳孔への角強度伝達を示す対応する強度伝播関数マップを画定し、較正された強度マップを生成するように動作可能かつ構成された強度マップ生成モジュールと、
強度マップ変調ユーティリティーを含み、前記強度マップ変調ユーティリティーは、対応する輝度変調を生成し、光学システムへの入力である画像データに前記輝度変調を適用する前記較正強度マップを利用するように動作可能、且つ構成される、
ことを特徴とする請求項１に記載の表示装置。
【請求項３】
前記あらかじめ定められた目瞳孔関連データは、目瞳孔寸法ｘ’を示すデータを有することを特徴とする請求項２に記載の表示装置。
【請求項４】
前記あらかじめ定められた目瞳孔関連データは、出口瞳孔と目瞳孔との間の距離ｚ、および出口瞳孔と目瞳孔との間の横方向のオフセット（ｘ’−ｘ）を示すデータを含むことを特徴とする請求項２又は３に記載の表示装置。
【請求項５】
前記強度マップ生成モジュールは、あらかじめ定められた目瞳孔寸法ｘ’および、あらかじめ定められた横方向の出口瞳孔と目瞳孔との間のオフセット（ｘ’−ｘ）に対して特徴つける強度伝達関数マップＩ１（ｘ、φ）を畳み込むように構成された統合モジュールを含み、出口瞳孔からあらかじめ定められた目瞳孔寸法ｘ’まで角強度の伝達を示す畳み込まれた強度伝達関数マップＩ’１（（ｘ’−ｘ），φ）を示すデータを得ることを特徴とする請求項２乃至４のいずれか１項に記載の表示装置。
【請求項６】
前記制御ユニットは目瞳孔寸法ｘ’を示す与えられたデータを利用することを特徴とする請求項５に記載の表示装置。
【請求項７】
畳み込まれた強度伝達関数マップＩ’１（（ｘ’−ｘ），φ）を示す前記データは、様々な瞳孔範囲ｘ’に対応する複数の畳み込まれた強度伝達関数マップを含むことを特徴とする請求項５又は６に記載の表示装置。
【請求項８】
前記強度マップ生成モジュールは、選択モジュールを含み、当該選択モジュールは、出口瞳孔と目瞳孔との間の距離ｚおよび横方向のオフセット（ｘ’−ｘ）を示すデータを利用し、前記畳み込まれた強度伝達関数マップＩ’１（（ｘ’−ｘ），φ）の中で、対応した距離ｚとオフセット（ｘ−ｘ’）の値に対応する領域を見分けるために、畳み込まれた強度伝達関数マップＩ’１（（ｘ’−ｘ），φ）を分析し、前記較正強度マップを生成するように動作可能および構成されることを特徴とする請求項５乃至７のいずれか１項に記載の表示装置。
【請求項９】
前記強度マップ変調ユーティリティーは、畳み込まれた強度伝達関数マップＩ’１（（ｘ’−ｘ），φ）の選択された領域の反転として前記輝度変調を生成するように構成されることを特徴とする請求項８に記載の表示装置。
【請求項１０】
画像表示期間の間、観察者の目瞳孔の１つ以上のパラメーターを監視するように構成され、且つ動作可能である視点制御装置を含み、目瞳孔に関連するデータを決定し、これにより制御ユニットが動的に較正強度マップを調節することを可能にすることを特徴とする請求項２乃至９のいずれか１項に記載の表示装置。
【請求項１１】
仮想現実画像を表示するためのニアアイディスプレイとして構成されることを特徴とする請求項１乃至１０のいずれか１項に記載の表示装置。
【請求項１２】
光学システムは、導光光学素子（ＬＯＥ）を含み、当該導光光学素子（ＬＯＥ）は、導波路の主面からの全内部反射によって導波路を介して光伝播を導くために構成された導波管を含み、導波管に埋め込まれ導波管の外に光を導くための出口瞳孔を画定するために配置された１つ以上の光を導く表面をさらに含むことを特徴とする請求項１乃至１１のいずれか１項に記載の表示装置。
【請求項１３】
前記制御ユニットは、光学システムにおいて特徴づける強度伝達関数マップＩ１（ｘ，φ）を示す前記データを受け取る記憶装置と通信するように構成されることを特徴とする請求項１乃至１１のいずれか１項に記載の表示装置。
【請求項１４】
前記制御ユニットはシミュレーター・モジュールを含み、前記シミュレーター・モジュールは光学システムの光伝播チャネルの構成を示すデータを受信し、シミュレートされたデータを決定するように動作可能かつ構成され、前記シミュレートされたデータは、光学システムにおいて特徴づける強度伝達関数マップＩ１（ｘ、φ）を示す前記データを含むことを特徴とする、請求項１乃至１３のいずれか１項に記載の表示装置。
【請求項１５】
光学システムを有する表示装置から観察者によって観察された画像の照度均一性を制御するための制御システムであって、前記制御システムはデータ入出力ユーティリティー、メモリユーティリティーとデータ処理装置と、アナライザーを含み、前記アナライザーは、：
強度マップ生成モジュールであって、前記強度マップ生成モジュールは、観察者の目瞳孔に関連するデータと、光学システムの出口瞳孔の横方向の寸法ｘを横切った特徴づける強度伝達関数マップＩ１（ｘ、φ）を含む入力データおよび、前記光学システムにより観察者に提示される画像に対応する視界（ＦＯＶ）の角度のスパンφを含む入力データを受け取り分析するように動作可能且つ構成され、出口瞳孔から目瞳孔まで角度の強度伝達を示す対応する強度伝達関数マップを決定し、較正強度マップを生成することを特徴とする前記強度マップ生成モジュール；および、
強度マップ変調ユーティリティーを含み、前記強度マップ変調ユーティリティーは、前記修正強度マップを利用し、光学システムの入力である画像を示す画像搬送光に変換された画像データに適用される対応する強度変調を生成するように動作可能且つ構成され、前記強度変調は、光学システムにおいて特徴づける強度伝達関数マップＩ１（ｘ、φ）の強度非均一性を少なくとも部分的に補償するように画像データに影響を与え、光学システムの出口瞳孔における出力光が、前記画像を示し、改善された強度均一性とともに観察者によって観察された変調された強度マップを有することを提供する
ことを特徴とする、制御システム。
【請求項１６】
前記あらかじめ定められた目瞳孔関連データは目瞳孔距離ｘ’を示すデータを含むことを特徴とする請求項１５に記載の制御システム。
【請求項１７】
前記あらかじめ定められた目瞳孔に関連したデータは、出口瞳孔と目瞳孔との間の距離ｚ、および出口瞳孔と目瞳孔との間の横方向のオフセットｘ’−ｘを示すデータを含むことを特徴とする請求項１５または１６に記載の制御システム。
【請求項１８】
前記強度マップ生成モジュールは、あらかじめ定められた目瞳孔寸法ｘ’および、あらかじめ定められた横方向の出口瞳孔と目瞳孔との間のオフセット（ｘ’−ｘ）に対して特徴つける強度伝達関数マップＩ１（ｘ、φ）を畳み込むように構成された統合モジュールを含み、出口瞳孔からあらかじめ定められた目瞳孔寸法ｘ’まで角強度の伝達を示す畳み込まれた強度伝達関数マップＩ’１（（ｘ’−ｘ），φ）を示すデータを得ることを特徴とする請求項１５乃至１７のいずれか１項に記載の制御システム。
【請求項１９】
前記強度マップ生成モジュールデータは、目瞳孔位置ｘ’を含む入力データを受信する請求項１８に記載の制御システム。
【請求項２０】
畳み込まれた強度伝達関数マップＩ’１（（ｘ’−ｘ），φ）を示す前記データは、様々な瞳孔範囲ｘ’に対応する複数の畳み込まれた強度伝達関数マップを含むことを特徴とする請求項１８又は１９に記載の制御システム。
【請求項２１】
前記強度マップ生成モジュールは、選択モジュールを含み、当該選択モジュールは、出口瞳孔と目瞳孔との間の距離ｚおよび横方向のオフセット（ｘ’−ｘ）を示すデータを利用し、前記畳み込まれた強度伝達関数マップＩ’１（（ｘ’−ｘ），φ）の中で、対応した距離ｚとオフセット（ｘ−ｘ’）の値に対応する領域を見分けるために、畳み込まれた強度伝達関数マップＩ’１（（ｘ’−ｘ），φ）を分析し、前記較正強度マップを生成するように動作可能および構成されることを特徴とする請求項１８乃至２０のいずれか１項に記載の制御システム。
【請求項２２】
前記強度マップ変調ユーティリティーは、畳み込まれた強度伝達関数マップＩ’１（（ｘ’−ｘ），φ）の選択された領域の反転として前記輝度変調を生成するように構成されることを特徴とする請求項２１に記載の制御システム。
【請求項２３】
画像表示期間の間、観察者の目瞳孔の１つ以上のパラメーターを含む入力データに反応するように構成され、目瞳孔に関連するデータを決定し、動的に較正強度マップを調節することを特徴とする請求項１５乃至２２のいずれか１項に記載の制御システム。
【発明の詳細な説明】
【技術分野】
【０００１】
本発明は、一般的に、光学システムの視界内の光視野均一性を改善するための光学の技術の分野に存する。本発明は、導光体カップラーに基づいて、仮想現実画像を表示することためのニアアイディスプレイに特に役立つ。
【背景技術】
【０００２】
ニアアイディスプレイ（ＮＥＤ）の中で使用される導光体カップラーの動作の主な物理的な原理は、仮想現実画像を示す光波が、基板の主面からの全内部反射によって基板の内部で捕捉され、１つ以上（内部）の少なくとも部分的に反射する表面あるいは回折する表面によって観察者の目へ外結合されるというものである。ＮＥＤの性能を画定する重要な因子のうちの１つは、導光体カップラーからの光線出力によって形成された照明の均一性の要件に関係している。非均一性または不規則性は、外結合の物理学的意義にかかわらず、導光体に基づいたＮＥＤに固有である。不規則性は角周波数が凡そ視界（ＦＯＶ）の１／４とＦＯＶ／１００との間の範囲において分布して、縁のように見えることもあり、画像の上の低い／高い強度の帯のように見えることもある。色を独立して処理する導波路構造では、不規則性が場面を横切る色変動として現われる。
【０００３】
照明の均一性を改善するために様々な手法が開発されており、例えば米国特許第６８２９０９５号明細書、米国特許第７７２４４４２号明細書、米国特許第８００４７６５号明細書、米国特許第９５５１８７４号明細書と国際公開１６１３２３４７号公報に記載されている。これらすべては本出願の出願人に譲渡される。
【発明の概要】
【０００４】
上記されるよう、システム出力の視界を横切った照明／輝度の均一性は、システム性能、とりわけ１つの仮想の画像システムを含む表示装置にとって重要な要件である。上記に言及された初期の技術は、画像の暗部と明部の輝度を平均する光伝播路に沿って、様々な表面上でコーティングを利用することにより、この問題を解決した。
【０００５】
本出願の発明者によって開発されたさらに他の手法は、最近出願された国際特許出願ＰＣＴ／ＩＬ２０１８／０５００１０号明細書に記載されている。この技術によれば、光学的ユニットの出力に光学的に結合される、マスキングする光学的要素が使用され、それは光学的ユニットの視界を横切って非均一の強度プロファイルの光を生み出す。マスキング要素は、非均一の強度プロファイルに合わせて要素を横切って空間的に変化する透過プロファイルを伴って構成される。その結果、マスキング光学要素との光相互作用は、強度プロファイルの中で比較的高光強度の領域に影響を与え、光学的要素のマスキングを通じて光通過に強度変調を適用し、光の強さ均一性を改善する。
【０００６】
本発明は、観察者によって観察されるようなシステムによって生み出された画像の強度／輝度均一性を改善するために新規な手法を提供する。本発明は、導光光学素子（ＬＯＥ）を通って光伝播をガイドするための導光光学素子（ＬＯＥ）を利用する種類の光学システムに特に有用である。そのようなＬＯＥは仮想現実画像の投影のためのニアアイディスプレイの中で使用される。ＬＯＥは、それらの主面からの全内部反射によってＬＯＥを通した仮想現実画像光伝播を導くために構成され、１つ以上の方向へ、仮想現実画像光を向けるためにそこに埋め込まれた、１つ以上の光を導く表面（例えば少なくとも部分的な反射面）を含んでもよい。
【０００７】
本発明によれば、観察者によって観察されるような画像（つまり観察者の目瞳孔における画像）の照度均一性プロファイルは、画像を搬送する光学的視野に輝度変調を適用することにより改善され、光学システムの入射瞳孔を介した、光学システムへの入力である。入力視野輝度変調は、電子的に（例えば空間光モジュレータの動作によって）適用される。入力視野輝度変調は電子的に適用されることは光学システムの中への入力である画像データの生成と同時に行なわれるかもしれないし、以前に光学システム中の入力であった以前に作成された画像データに適用される。
【０００８】
本発明によれば、光学システムに関するデータは提供される。つまり、測定される、あるいは光学システムによって画定された光伝播チャネルの既知の構成に基づいてシミュレートされる。光学システムに関するそのようなデータは、光学システムの出口の瞳孔の横方向寸法ｘを横切る特徴をなす強度伝達関数マップＩ１（ｘ，φ）、および光学システムによって観測者に提示される画像に対応する視界（ＦＯＶ）の角度のスパンφを含む。言いかえれば、光学システムは角度で規定される空間の中にその特徴的な強度プロファイルを有している。このデータは、光学システム中の入力部であるこの画像データ適切に影響を与えるために、解析される。結果として、表示されている画像は改善された強度均一性を持って観察者によって観察される。
【０００９】
発明の１つの広い態様によれば、観察者によって見られる画像を生み出すための表示装置が設けられる。表示装置は光学システムと制御ユニットを含む。光学システムは、出口瞳孔を有する導光チャネルを含み、画像を示す入力光を受け取るよう、出口瞳孔において、観察者に提示される画像に対応する視界（ＦＯＶ）を有する出力光を産みだすよう構成され、動作可能である。一方、導光チャネルの構成は、出口の瞳孔の横方向寸法ｘを横切る特徴をなす強度伝達関数マップＩ１（ｘ，φ）、およびＦＯＶの角度スパンφを画定する。制御ユニットは、画像データに影響を与えるように構成され、動作可能である。当該画像データは、光学システムにおいて特徴づける強度伝達関数マップＩ１（ｘ、φ）中における強度非均一性を、少なくとも部分的に償うように構成された較正強度マップに基づいた輝度変調をＩ１（ｘ、φ）に適用することにより光学システムにおける入力部となろう。その結果、光学システムの出口瞳孔であり画像を示す光線出力は、改善された強度均一性を有し観察者によって観察される変調された強度マップを有する。
【００１０】
いくつかの実施形態において、制御ユニットは、あらかじめ定められた目瞳孔関連データと特徴をなす強度伝達関数マップＩ１（ｘ、φ）を分析するために構成され、動作可能である強度マップ生成モジュールを含み、結果として、出口瞳孔から目瞳孔までの角度強度伝達を示す、対応する強度伝達関数マップを決定し、較正強度マップを生成する。較正強度マップは、対応する輝度変調を生成するために較正強度マップを利用する強度マップ変調ユーティリティーによって解析され、光学システムへの入力である画像データにこの輝度変調を適用する。画像に適用された輝度変調は、較正強度マップの少なくとも一部を示すデータの反転として適用される。
【００１１】
あらかじめ定められた目瞳孔に関連するデータは、目瞳孔寸法ｘ’（特定の観察者のために与えられたか測定された）を示すデータ、且つ／又は特定のヘッドマウントニアアイ表示装置に対して固定されるか装置の使用の間に測定される出口瞳孔と目瞳孔の間の距離ｚを示すデータを含み、さらに出口瞳孔と目瞳孔の間の横方向のオフセット（ｘ’−ｘ）を示すデータを含む。
【００１２】
いくつかの実施形態において、強度マップ生成モジュールは、あらかじめ定められた目瞳孔寸法ｘ’および、あらかじめ定められた横方向の出口瞳孔と目瞳孔との間のオフセット（ｘ’−ｘ）に対して特徴つける強度伝達関数マップＩ１（ｘ、φ）を畳み込むように構成された統合モジュールを含み、出口瞳孔からあらかじめ定められた目瞳孔寸法ｘ’まで角強度の伝達を示す畳み込まれた強度伝達関数マップＩ’１（（ｘ’−ｘ），φ）を示すデータを得る。
【００１３】
上に示されるように、制御ユニットは目瞳孔寸法ｘ’を示す与えられたデータを利用してもよい。
【００１４】
いくつかの実施形態において、畳み込まれた強度伝達関数マップＩ’１（（ｘ’−ｘ），φ）を示すデータは、様々な瞳孔範囲ｘ’に対応する複数の畳み込まれた強度伝達関数マップを含む。
【００１５】
強度マップ生成モジュールは、選択モジュール／ユーティリティを含んでもよく、該選択モジュール／ユーティリティは、出口と目の瞳孔間で出口瞳孔と目瞳孔との間の距離ｚおよび、出口瞳孔と目瞳孔との間の横方向のオフセット（ｘ’−ｘ）を示すデータを利用し、畳み込まれた強度伝達関数マップＩ’１（（ｘ’−ｘ），φ）において、対応した距離ｚとオフセット（ｘ−ｘ’）の値に対応する領域を見分けるために、畳み込まれた強度伝達関数マップＩ’１（（ｘ’−ｘ），φ）を分析し、そして、較正強度マップを生成するように構成され、動作可能である。
【００１６】
強度マップ変調ユーティリティーは、畳み込まれた強度伝達関数マップＩ’１（（ｘ’−ｘ），φ）の選択された領域の反転として輝度変調を生成するように構成される。
【００１７】
上に示されるように、目瞳孔に関連するデータの１つ以上のパラメーターが画像表示期間の間に測定されてもよい。この目的のために、システムは、観察者の目瞳孔の１つ以上のパラメーターを監視するように構成され、且つ動作可能である視点制御装置を含み、目瞳孔に関連するデータを決定し、これにより制御ユニットが動的に較正強度マップを調節することを可能にする。
【００１８】
さらに上に示されるように、いくつかの実施形態では、本発明にかかる表示装置は、仮想現実画像を表示するためのニアアイディスプレイ装置、あるいは追加的に同時に実際の画像を表示するためのシースルーディスプレイとして構成される。そのようなニアアイディスプレイ装置の光学システムは、導波路の主面からの全内部反射によって導波路を介して光伝播を導くために構成された導波管を含み導波管に埋め込まれ導波管の外に光を導くための出口瞳孔を画定するために配置された１つ以上の光を導く表面をさらに含む導光光学素子（ＬＯＥ）を含みうる。
【００１９】
いくつかの実施形態において、制御ユニットは光学システムにおいて特徴づける強度伝達関数マップを示すデータを受け取る記憶装置と通信するように構成される。代替的に、又は追加的に、制御ユニットは、光学システムの光伝播チャネルの構成を示すデータを受信するように動作可能かつ構成されたシミュレーター・モジュールを含んでもよく、また光学システムにおいて特徴づける強度伝達関数マップを示すデータを含むシミュレートされたデータを決定してもよい。
【００２０】
本発明の別の広い態様によれば、それは、光学システムを有する表示装置から観察者によって観察された画像の照度均一性を制御するための制御システムを提供する。制御システムは、強度マップ生成モジュールおよび、データ処理装置とアナライザーを含むコンピュータシステムとして構成され、前記アナライザーは強度マップ生成モジュールとのデータ通信における強度マップ変調ユーティリティーを含む。強度マップ生成モジュールは、観察者の目瞳孔に関連するデータと、光学システムの出口瞳孔の横方向の寸法ｘを横切った光学システムにおいて特徴づける強度伝達関数マップＩ１（ｘ、φ）とを含む入力データと、光学システムにより観察者に提示される画像に対応する視界（ＦＯＶ）の角度のスパンφを受け取り、分析するように動作可能且つ構成される。強度マップ生成モジュールは出口瞳孔から目瞳孔まで角度の強度伝達を示す対応する強度伝達関数マップを決定し、較正強度マップを生成する。強度マップ変調ユーティリティーは、較正強度マップを利用するように、対応する輝度変調を生成するように動作可能であり構成される。対応する輝度変調は、光学システムにおいて特徴づける強度伝達関数マップの中で、少なくとも部分的に強度非均一性を償うために画像データに影響を与える光学システムへの入力である画像データに適用される。その結果、強度マップ変調ユーティリティーは、光学システムの出口瞳孔の出力光（それは画像を示す）が、改善された強度均一性を付帯し観察者によって観察された変調された強度マップを有することを提供する。
【図面の簡単な説明】
【００２１】
本明細書に開示される主題をより良く理解し、その主題が実際にどのようにして実施され得るのかを例証するために、実施形態はここで、添付の図面を参照するとともに非限定的な例のみによって記載される：
【００２２】
【図１】図１は、観察者によって見られる画像の表示のために本発明によって構成された表示装置のブロック図である；
【図２】図２は、観察者によって観察されるように、表示されている画像の照度均一性を制御するために図１のシステムで使用される発明の制御システムの構成のブロック図である；
【図３Ａ】図３Ａは、ＬＯＥに基づいた光学システムを利用するニアアイディスプレイによって表示された画像を観測する中で、照度均一性を改善するための発明の手法を例証する；
【図３Ｂ】図３Ｂは、ＬＯＥに基づいた光学システムを利用するニアアイディスプレイによって表示された画像を観測する中で、照度均一性を改善するための発明の手法を例証する；
【図３Ｃ】図３Ｃは、ＬＯＥに基づいた光学システムを利用するニアアイディスプレイによって表示された画像を観測する中で、照度均一性を改善するための発明の手法を例証する；
【図３Ｄ】図３Ｄは、ＬＯＥに基づいた光学システムを利用するニアアイディスプレイによって表示された画像を観測する中で、照度均一性を改善するための発明の手法を例証する；
【図４Ａ】図４Ａは、例証されたＬＯＥを通じて、どのように光スキーム伝播が、ＬＯＥの出口瞳孔で強度マップに影響をあたえるかを例証する。このことはＬＯＥに基づいた光学システムの強度マップをシミュレートするために使用され得る；
【図４Ｂ】図４Ｂは、例証されたＬＯＥを通じて、どのように光スキーム伝播が、ＬＯＥの出口瞳孔で強度マップに影響をあたえるかを例証する。このことはＬＯＥに基づいた光学システムの強度マップをシミュレートするために使用され得る；
【図４Ｃ】図４Ｃは、例証されたＬＯＥを通じて、どのように光スキーム伝播が、ＬＯＥの出口瞳孔で強度マップに影響をあたえるかを例証する。このことはＬＯＥに基づいた光学システムの強度マップをシミュレートするために使用され得る；
【図５Ａ】図５Ａは、例証されたＬＯＥを通じて、どのように光スキーム伝播が、ＬＯＥの出口瞳孔で強度マップに影響をあたえるかを例証する。このことはＬＯＥに基づいた光学システムの強度マップをシミュレートするために使用され得る；
【図５Ｂ】図５Ｂは、例証されたＬＯＥを通じて、どのように光スキーム伝播が、ＬＯＥの出口瞳孔で強度マップに影響をあたえるかを例証する。このことはＬＯＥに基づいた光学システムの強度マップをシミュレートするために使用され得る；
【図５Ｃ】図５Ｃは、例証されたＬＯＥを通じて、どのように光スキーム伝播が、ＬＯＥの出口瞳孔で強度マップに影響をあたえるかを例証する。このことはＬＯＥに基づいた光学システムの強度マップをシミュレートするために使用され得る；
【図６】図６は、リニアＣＣＤ走査を使用して、角度で規定される空間の中にある、光学システム特徴をなす強度伝達関数マップＩ１（ｘ、φ）がどのように測定されるかを例証する。
【発明を実施するための形態】
【００２３】
［実施形態の詳細な説明］
【００２４】
本発明の表示装置（１０）はブロック図によって図１に言及する。表示装置（１０）は、画像データ発生装置（１２）に関連した光学システム（１４）を含む。光学システム（１４）は、画像データ供給部から画像データを受け取るように、かつ対応する光学的視野（光の強さマップを備えた構造化した光）を生成するように動作可能に構成される。これは空間光モジュレータ（例えばＬＣＤに基づいたモジュレータ）あるいは一般的な光源（例えばＯＬＥＤ）のマトリックスの使用により実施されうる。
【００２５】
光学システム（１４）は、構造化された光をガイドするための光伝播チャネル（１４Ａ）を画定する１つ以上の光学エレメント（図示されず）を含む。当該構造化された光は視界（ＦＯＶ）を備えた出口瞳孔（１４Ｂ）への光伝播チャネル（１４Ａ）によって、表示される画像に対応し、当該視界は、観察者の目（１８）によって見られた／提示された光学システムの画像に相当する。光伝播チャネル（１４Ａ）の構成は、出口瞳孔（１４Ｂ）の横方向の寸法ｘを横切って光学システムにおいて特徴づける強度伝達関数マップＩ１（ｘ、φ）およびＦＯＶの角度のスパンφを画定する。
【００２６】
さらに本発明によって、観察者によって観察されるような画像の照明／強度均一性を制御するために、制御ユニット（２０）が提供され、該制御ユニット（２０）は、表示装置（１０）の中で、観察者によって観察されるような画像の強度／照度均一性を制御するように動作可能且つ構成される。本発明が、観察者、すなわち目瞳孔（１８）によって観察されるような画像の強度プロファイルを改善することを目指していることは理解されるに違いない。これはさらに具体的に下に示すように説明されるだろう。
【００２７】
制御ユニット（２０）は、画像データ発生装置（１２）あるいは別々のユニットの一部であってよい。制御ユニット（２０）は光強度マップを示す画像データＩＤを受け取る。光強度マップは、光学システムへの入力であり、変調画像データＩＤｍｏｄを生成するために輝度変調をそれに適用することによって、画像データに影響を与える。この強度変調画像データＩＤｍｏｄは、光学システム（１４）によって伝播するために、空間光モジュレータ（例えばＬＣＤに基づいたモジュレータ）（ＳＬＭ）の任意の適切な既知の構成によって、対応する光学的視野（構造化した光）に変換される。
【００２８】
制御ユニット（２０）によって加えられた輝度変調は、制御ユニットによって決定され、少なくとも部分的に光学システムにおいて特徴づける強度伝達関数マップＩ１（ｘ、φ）の中の強度非均一性を補償するように構成される較正強度マップに基づく。その結果、光学システム（１４）の出口瞳孔（１４Ｂ）の画像を搬送する出力光は、観察者によって観察される改善された強度均一性を有するよう変調された強度マップＩｍｏｄを有する。
【００２９】
図の中で例証されるように、制御ユニット（２０）は、データ供給部（２２）（例えば記憶装置）から、入力データ（例えばそのようなデータが保存される記憶装置にアクセスする）を受け取る。入力データは、光学システムにおいて特徴づける強度伝達関数マップＩ１（ｘ、φ）を示すデータを含んでいる。しかしながら、特徴づける強度伝達関数マップＩ１（ｘ、φ）を示すデータは、以前に生成された（例えば、シミュレートされた、あるいは測定した）そのようなマップデータ自体を含み、記憶装置に保存されているかもしれないことは明記されるべきである。あるいは、強度伝達関数マップＩ１（ｘ、φ）を特徴づけることを示すそのようなデータは、与えられた光学システムの光伝播チャネルの構成に関するデータを含みうる。後者の場合では、制御ユニット（２０）は、光伝播チャネルの構成を分析し、かつ光学システムの強度伝達関数マップＩ１（ｘ、φ）を特徴づける、シミュレートされたデータを決定するのに動作可能であり、構成されたシミュレーター・モジュールを含む。これは、下のようにさらに説明されるだろう。
【００３０】
さらに図で示されるように、制御ユニット（２０）は、さらに、強度変調画像データＩＤｍｏｄを生成するために目瞳孔に関連するデータを利用することができる。そのような目瞳孔に関連するデータは、出口瞳孔（１４Ｂ）と目瞳孔（１８）との間の距離ｚ、出口瞳孔（１４Ｂ）と目瞳孔（１８）との間の、横方向のオフセット（ｘ’−ｘ）のような、目瞳孔の横方向の寸法ｘ’としてのパラメーターを含む。
【００３１】
いくつかの実施形態において、これらのパラメーターの１つ以上は典型値を与えられるかもしれない。（例えば、目瞳孔の横方向の寸法ｘ’は典型的に約３ｍｍである）；観察者に対して表示装置の位置がヘッドマウント表示装置の場合のように固定された場合、出口瞳孔（１４Ｂ）と目瞳孔（１８）との間の距離ｚと横方向のオフセット（ｘ’−ｘ）に対する値は、ほとんど固定されるかもしれない。
【００３２】
他のいくつかの実施形態の中で、以下にさらに説明されるように、表示装置（１０）は、画像を表示する時間の間において、距離ｚおよび／または横方向のオフセット（ｘ’−ｘ）値の変化をモニター／測定する、適切な目追跡装置を装備した目瞳孔制御装置を選択的あるいは追加的に含み、それぞれのデータを生成してもよい。制御ユニットは、強度変調画像データＩＤｍｏｄを動的に調整する／アップデートするために、それらのデータに対して責任がある。目瞳孔制御装置は、さらに観察者の目瞳孔サイズｘ’を測定するために測定ユニットを含んでもよい。
【００３３】
本発明の光学システムあるいは少なくともそれらの一部分（例えば光ガイド素子）は、非常にコンパクトな構成になりえて、ヘッドアップ・ディスプレイ（ＨＵＤ）にマウントされるか、別々のモジュールになり、ＨＵＤと共に使用することができる。本発明の別の可能性のある適用はスマートフォンの一部としてである。それはあらかじめ定められたソフトウェアの適用とともにインストールされるだろう。１つの、そのような構成（例えばＨＵＤに連結可能な携帯型の導光素子）の例は、本出願の譲受人に譲渡された米国特許第８００４７６５号明細書等に記載されている。
【００３４】
図２は、典型的な制御ユニット（２０）の構成のブロック図を示す。制御ユニット（２０）はデータ入出力ユーティリティおよびメモリを含む。それは具体的には示されない。制御ユニット（２０）は画像データ供給部（２２）の一部であってもよく、あるいは画像データ発生装置（１２）とデータ通信するように構成された別々のユニット／回路（２０）であってもよい。ここで、画像データ発生装置（１２）は、画像データ供給部（２２）に連結可能または画像データ供給部（２２）の一部である。
【００３５】
制御ユニット（２０）は、上述のように、光学システム（例えば、与えられたかシミュレートされた）の特徴をなす強度伝達関数マップＩ１（ｘ、φ）と観察者の目瞳孔のデータを示すデータを分析するように動作可能且つ構成され、出口瞳孔から目瞳孔まで角度の強度伝達を示す対応する強度伝達関数マップを決定し、較正強度マップＩ２（ｘ、φ）を生成する、強度マップ生成モジュール（２４）を含む。
【００３６】
図で例証されるように、強度マップ生成モジュール（２４）は、統合モジュール（２４Ａ）を含む。当該統合モジュール（２４Ａ）は出口瞳孔と目瞳孔との間のあらかじめ定められた目瞳孔寸法ｘ’およびあらかじめ定められた横方向のオフセット（ｘ’−ｘ）において、特徴づける強度伝達関数マップＩ１（ｘ、φ）を畳み込むように、且つ畳み込まれた強度伝達関数マップＩ’１（（ｘ’−ｘ），φ）を示すデータを得るように構成される。そのような畳み込まれた強度伝達関数マップＩ’１（（ｘ’−ｘ），φ）は、出口瞳孔に関してあらかじめ定められた横方向の寸法および相対的位置の、出口瞳孔（１４Ｂ）から目瞳孔（１８）まで角度の強度伝達を示す。
【００３７】
畳み込まれた強度伝達関数マップＩ’１（（ｘ’−ｘ），φ）を示すデータが、異なる瞳孔範囲ｘ’に対応する複数の畳み込まれた強度伝達関数マップを含んで準備されるなどの状態であってもよいことは注目されるべきである。この例で、強度マップ生成モジュール（２４）は選択モジュール（２４Ｂ）をさらに含み、当該選択モジュール（２４Ｂ）は出口瞳孔（１４Ｂ）と目瞳孔（１８）との間の距離ｚと出口瞳孔と目瞳孔間での横方向のオフセット（ｘ’−ｘ）を示すデータを利用し、畳み込まれた強度伝達関数マップＩ’１（（ｘ’−ｘ），φ）の中で、距離ｚおよびオフセット（ｘ−ｘ’）値に対応する領域を識別し、較正強度マップＩ２（ｘ、φ）を生成するように動作可能且つ構成される。
【００３８】
さらに、強度マップ変調ユーティリティー（２６）が制御ユニット（２０）に設けられる。当該強度マップ変調ユーティリティー（２６）は、画像データ発生装置（１２）から画像データＩＤ（例えば仮想現実画像）を受け取り、強度マップ生成プログラム・モジュール（２４）から較正強度マップＩ２（ｘ、φ）を受け取る。強度マップ変調ユーティリティー（２６）は、較正強度マップＩ２（ｘ、φ）を分析し、かつ対応する輝度変調を生成し、また画像データＩＤにこの変調を適用するように動作可能且つ構成される。結果として、これにより強度変調画像データＩＤｍｏｄを生成する。輝度変調は、例えば較正強度マップの反転（あるいは反転のある近似値）として生成され（つまり畳み込まれた強度伝達関数マップＩ’１（（ｘ’−ｘ），φ）の選択された領域の反転）、画像データＩＤに適用される。
【００３９】
そのように作成された強度変調画像データＩＤｍｏｄは、特徴付ける強度伝達関数マップＩ１（ｘ、φ）を備えた光学システム（１４）に進入する対応する光視野（構造化した光）に転換され、光学システムにおいて特徴づける強度伝達関数マップＩ１（ｘ、φ）の中の強度非均一性を少なくとも部分的に補償する。その結果、原画像を示す光学システムの出口瞳孔の出力光は、変調された強度マップを有し、結果として、改善された強度マップＩ’２（ｘ、φ）を備え対応する画像が観察者（目瞳孔において）によって見られる。
【００４０】
仮想の画像システムの中で使用される表示装置を考えれば、表示装置は典型的には目瞳孔制御装置（目追跡装置）（２８）を含む。該目瞳孔制御装置は、動的に、目瞳孔の１つ以上が関連づけた調パラメーターを調整／更新する（典型的に、距離ｚおよび横方向のオフセット（ｘ−ｘ’））。それゆえに、制御ユニット（２０）（その強度マップ生成装置（２４））は動的に較正強度マップＩ２（ｘ、φ）を調節する。
【００４１】
図３Ａ乃至図３Ｅに言及すると、ニアアイディスプレイの中で使用される、ＬＯＥに基づいた光学システムの作動制御ための発明の手法を例示する。
【００４２】
図３Ａは、ヘッドアップディスプレイ装置（３０）を例証する。ヘッドアップディスプレイ装置（３０）は、主面（３２）および（３４）を有するＬＯＥ（１６）を利用する光学システム（１４）、そこに埋め込まれた導光要素（３１）および（３５）（少なくとも部分的に反射する）、平行化モジュール（１７）を含み、光学システム（１４）によって光伝播チャネル（１４Ａ）をともに画定する。さらに図で示されるように、ヘッドアップディスプレイ装置（３０）は、対応する画像データを搬送する光に転換するために、上記されるように（例えば、プロジェクター、例えば、ＳＬＭに基づいた）構成された画像生成装置（３６）を含む。画像生成装置は、制御ユニット（２０）を含むまたは連結可能な画像データ供給部（２２）（例えば上記されるように構成された）によって動作される。図で示されたように、画像を搬送する光は、平行化モジュール（１７）を通じて通過し、ＬＯＥ（導波管／基板）（１６に進入する。画像を搬送する光は導光要素（反射器）（３１）から反射され、ＬＯＥの基板／本体の中に閉じ込められる。ここで、光は主面（３２）および（３４）からのトータルな全内部反射によって導かれ、引き続き反射要素（３５）と少なくとも部分的に作用する。ここで、反射要素（３５）は観察者の目の瞳孔（１８）の方へ伝搬するために基板から出てくる光と結合する。
【００４３】
そのようなＬＯＥに基づいた光学システム（１４）の構成と作用は、それ自体で知られており、本出願の譲受人の前述の初期の特許出版物で例証される。そのような光学システムの構成と作用は、本発明の一部を形成せず、したがって、詳細に本明細書で記載されていない。光学システムにおいて特徴づける強度伝達関数マップＩ１（ｘ、φ）を決定する／シミュレートするために光学システムの構成を使用する原理に関して、これらは、下記のように、より詳細に述べられる。
【００４４】
図３Ｂは、観察者に提示される画像に対応するＦＯＶの、出口瞳孔の横方向の寸法ｘを横切って光学システムにおいて特徴づける強度伝達関数マップＩ１（ｘ、φ）と角度のスパンφ、およびさらに出口瞳孔と観察者の目瞳孔との間の距離ｚを例示する。ここでＡ線および角度方向αは、目瞳孔の横方向の寸法ｘ’および、光学システムの出口瞳孔に関した目瞳孔ｚ位置にそれぞれ対応する。
【００４５】
図３Ｃは畳み込まれた強度伝達関数マップＩ’１（（ｘ’−ｘ），φ）を示す。それは、あらかじめ定められた目瞳孔寸法ｘ’と、出口瞳孔と目瞳孔との間のあらかじめ定められた横方向のオフセット（ｘ’−ｘ）の上で、図３Ｂの特徴をなす強度伝達関数マップＩ１（ｘ、φ）を畳み込むことにより得られる。そのような畳み込まれた強度伝達関数マップＩ’１（（ｘ’−ｘ），φ）は、出口瞳孔からあらかじめ定められた目瞳孔寸法ｘ’までの角度の強度伝達を示す。
【００４６】
図３Ｄは較正強度マップＩ２（ｘ、φ）を示す。較正強度マップＩ２（ｘ、φ）は、畳み込まれた強度伝達関数マップＩ’１（（ｘ’−ｘ），φ）から、距離ｚとオフセット（ｘ−ｘ’）の値に対応する領域を抽出するために、距離ｚおよび横方向のオフセット（ｘ’−ｘ）を利用することにより得られる。
【００４７】
上記されるよう、そのように得られた較正強度マップＩ２（ｘ、φ）は、ついで、較正強度マップＩ２（ｘ、φ）の反転として画像データに輝度変調を適用し、かつ画像生成装置（３６）（例えばプロジェクター）を操作するために使用される。
【００４８】
図４Ａ乃至図４Ｃと図５Ａ乃至図５Ｃに言及すると、光学システム（つまりＬＯＥの）の出口瞳孔で、ＬＯＥに基づいた光学システムによる光スキーム伝播がどのように強度マップに影響を与えるか例証し、そして出口瞳孔の横方向の寸法ｘを横切って光学システムにおいて特徴づける強度伝達関数マップＩ１（ｘ、φ）、および観察者に提示される画像に対応するＦＯＶの角度のスパンφをシミュレートするために使用されうる。これらの図は、例えば、特定の光学システムにおいて特徴づける強度伝達関数マップＩ１（ｘ、φ）の中で、暗い帯の効果および角度の空間のそれらの表現の性質を例示する。
【００４９】
図４Ａは、いわゆる「構造的な帯」関連効果を示す：ＦＯＶの上で、様々な角を備えＬＯＥに進入する光に対し、導光要素（３０）との光相互作用の違いにより、いくつかの射線は他のものより多くの減衰をうける。より詳細には、構造的な帯は各々全内部反射を掛けあわされる。その結果、より多くの導光要素／ファセットにおいて、（ＬＯＥによる光伝播の一般的な方角の連続的に構成されたファセットの順序において）例えば、３番目のファセットでは、それらは合計され、視覚的に顕著な帯になる。これは図５Ａに示される。
【００５０】
図４Ｂと図５Ｂは、「照明非均一性」が関連した帯を示す：入射瞳孔の上の不均一照明は、ＬＯＥによって複製され、輝度の定期的な変化を形成する。
【００５１】
図４Ｃおよび図５Ｃは、いわゆる「アンダーラップ帯効果」を示す。小さな角度では、光線が満たすことの出来ない薄い領域が存在し、大きな角度では光線が２倍満たす同様の領域がある。
【００５２】
したがって、光学システムにおいて特徴づける強度伝達関数マップＩ１（ｘ、φ）は、視界上の暗い帯に関する完全なデータを決定するために、あらゆる瞳孔の横方向の寸法とｚ距離に対して使用することができる。このデータを使用すると、較正マップは決定することができる。また、暗い帯効果は、電子的に（視点知識に依存する精度で）補償される。
【００５３】
本発明の手法は上記コーティングに基づいた解決法に加えて使用することができる。例えば、発明者はＬＯＥに基づいた光学システムについては、最も問題のある暗い帯効果は、瞳孔寸法／ＦＯＶマップの中心に現われ、適切なコーティング設計によってこれが改善される場合があることを発見した。一方、上記されるような較正マップによって、他の効果は電子的に償うことができる／改善することができる。
【００５４】
さらに上に示されるように、与えられた光学システムにおいて特徴づける強度伝達関数マップＩ１（ｘ、φ）が測定されるかもしれない。そのような測定は、例えば、ラインＣＣＤを使用して、出口瞳孔出力を走査することにより実行することができる。これは、ラインＣＣＤマップ、すなわち角度空間において測定された強度分布（出口瞳孔の横方向の寸法ｘを横切った、出口瞳孔からの距離ｚに沿った、そして１つのＦＯＶの角度のスパンφ）を示す図６の中で例証される。ラインプロファイルは瞳孔ｘを横切ってＦＯＶの上の強度変化であり、勾配αは目の起伏または距離ｚに相当する。
【００５５】
そのような測定されたかシミュレートされたマップは、目起伏（ｚ距離）、目の位置（横方向のオフセット）と目瞳孔直径（横方向の寸法）のためのすべての強度データを含んでいる。したがって、角度で規定される空間の光学システムにおいて特徴づける強度伝達関数マップＩ１（ｘ、φ）であるこのマップは、強度非均一性ソース（暗い帯効果）を補償するために（目追跡装置によって動的に、あるいは静的に）使用することができる。
【図１】
2021526236.tif 000003
【図２】
2021526236.tif 000004
【図３Ａ】
2021526236.tif 000005
【図３Ｂ】
2021526236.tif 000006
【図３Ｃ】
2021526236.tif 000007
【図３Ｄ】
2021526236.tif 000008
【図４Ａ】
2021526236.tif 000009
【図４Ｂ】
2021526236.tif 000010
【図４Ｃ】
2021526236.tif 000011
【図５Ａ】
2021526236.tif 000012
【図５Ｂ】
2021526236.tif 000013
【図５Ｃ】
2021526236.tif 000014
【図６】
2021526236.tif 000015
【国際調査報告】
2021526236.tif 000016
2021526236.tif 000017
2021526236.tif 000018